(57)【特許請求の範囲】
【請求項１】
上階の外壁から張り出されたバルコニーには軒先に沿って軒樋部が設けられ、そのバルコニーの軒先よりも突出する出窓部が下階の外壁から張り出されたバルコニーと出窓部の接合構造であって、
前記バルコニーの軒先にはその床下側への給気を取り込む通気口が設けられ、前記軒樋部又は前記通気口を通った水が落下する位置となる前記出窓部の上面に受樋部が設けられていることを特徴とするバルコニーと出窓部の接合構造。
【請求項２】
前記受樋部は前記軒樋部の幅よりも大きな幅に形成されるとともに、平面視で前記受樋部は前記軒樋部の軒先側及び軒元側の双方に突出していることを特徴とする請求項１に記載のバルコニーと出窓部の接合構造。
【請求項３】
前記受樋部は、平面視で前記通気口よりも前記出窓部の窓方向に突出していることを特徴とする請求項１又は２に記載のバルコニーと出窓部の接合構造。
【発明の詳細な説明】
【技術分野】
【０００１】
本発明は、バルコニーの下に出窓部を設けた際のバルコニーと出窓部の接合構造に関するものである。
【背景技術】
【０００２】
従来、居室の上にバルコニーを設けるに際して、バルコニーの床下を換気可能な構造にし、床内部の温度上昇を抑えることで、床下の居室の快適性が向上することが知られている（特許文献１など参照）。
【０００３】
この特許文献１のバルコニーには、軒先に沿って軒樋が設けられるとともに、その軒樋よりもさらに軒先側の下面角部に通気口が設けられ、外気をバルコニーの床下空間に導くことができる構造となっている。
【特許文献１】特開平９−４１４７７号公報
【発明の開示】
【発明が解決しようとする課題】
【０００４】
しかしながら、このようなバルコニーの下方に出窓部を設ける場合に、出窓部がバルコニーの軒先よりもさらに外側に突出していると、通気口から浸入した雨水や軒樋から溢れ出した雨水が、出窓部の屋根の上に流れ落ちることになる。このため、このような経路から浸入した水を排出する構造が必要となる。
【０００５】
そこで、本発明は、バルコニーの下に出窓部を設ける場合に、それらの間に浸入した水を適切に排水処理することが可能なバルコニーと出窓部の接合構造を提供することを目的としている。
【課題を解決するための手段】
【０００６】
前記目的を達成するために、本発明のバルコニーと出窓部の接合構造は、上階の外壁から張り出されたバルコニーには軒先に沿って軒樋部が設けられ、そのバルコニーの軒先よりも突出する出窓部が下階の外壁から張り出されたバルコニーと出窓部の接合構造であって、前記バルコニーの軒先にはその床下側への給気を取り込む通気口が設けられ、前記軒樋部又は前記通気口を通った水が落下する位置となる前記出窓部の上面に受樋部が設けられていることを特徴とする。
【０００７】
ここで、前記受樋部は前記軒樋部の幅よりも大きな幅に形成されるとともに、平面視で前記受樋部は前記軒樋部の軒先側及び軒元側の双方に突出している構造とすることができる。
【０００８】
また、前記受樋部は、平面視で前記通気口よりも前記出窓部の窓方向に突出している構造とすることができる。
【発明の効果】
【０００９】
このように構成された本発明のバルコニーと出窓部の接合構造は、バルコニーの軒樋部又はバルコニーの床下に給気をおこなうための通気口を通って流れ出す水の落下位置に受樋部が設けられている。
【００１０】
このため、軒樋から水が溢れたり、通気口から水が浸入したりしても、それらの水は受樋部に流れ落ち、出窓部の上面から適切に排水処理することができる。
【００１１】
また、受樋部の幅を軒樋部の幅よりも大きく形成し、平面視で軒樋部の両側縁から受樋部が突出するように形成すれば、軒樋部のいずれの側縁から水が溢れたとしても、流れ落ちる水を受樋部によって受け流すことができる。
【００１２】
さらに、受樋部を、平面視で通気口よりも出窓部の窓方向に突出するように形成すれば、通気口を通って様々な位置に滴り落ちる水があったとしても、確実に受樋部によって受け流すことができる。
【発明を実施するための最良の形態】
【００１３】
以下、本発明の最良の実施の形態について図面を参照して説明する。
【００１４】
図２は、本実施の形態のバルコニー２と出窓部３の接合構造を備えたバルコニー付きのユニット建物１の構成を示した斜視図である。また、図１は、図２のＡ−Ａ断面で見た断面図である。
【００１５】
まず、図２を参照しながらユニット建物１の構成から説明すると、このようなユニット建物１は、複数の建物ユニットを上下左右に連結して構成される戸建て住宅であって、下階としての１階部１１と、上階としての２階部１２と、２階部１２の上部に設けられる屋根１２３と、１階部１１の外壁１１１から張り出される出窓部３と、２階部１２の外壁１２１から張り出されるバルコニー２とを備えている。
【００１６】
この出窓部３は、１階部１１の外壁１１１から平面視で円弧状に張り出された形状をしており、さらに詳細にはその屋根部３１は複数の扇形を組み合わせた多角形状となっている。
【００１７】
また、この多角形状の各辺には、それぞれ窓部３４，・・・が設けられ、出窓部３には、採光量の多い明るい室内空間が形成される。
【００１８】
さらに、この出窓部３の上面としての屋根部３１の一部と１階部１１の上面とに跨って、バルコニー２が配置される。
【００１９】
このバルコニー２は、バルコニーの床部を形成する床部２１と、２階部１２の外壁１２１に略直交する方向に平行に延設される一対の袖壁部２３，２３と、軒先２ａ側で袖壁部２３，２３間を繋ぐ軒壁部２２とを備えている。ここで、この床部２１は、平面視矩形に形成され、その３辺に平面視コ字形に袖壁部２３，２３と軒壁部２２とが設けられている。
【００２０】
さらに、このバルコニー２は、２階部１２の窓開口１２２に隣接して設けられ、この窓開口１２２を通じて２階部１２の居室内とバルコニー２とを行き来することができる。
【００２１】
ここで、このバルコニー２は、外壁１２１側が軒元２ｂとなり、出窓部３側が軒先２ａとなる。
【００２２】
また、図１に示すように、バルコニー２の床部２１は、鋼板、パーチクルボード、防湿紙、石こうボードなどを積層して形成される床下地２１ｂと、その上面に敷設される透水床２１ａとを備えている。
【００２３】
さらに、この床部２１と軒壁部２２との交差部、換言すると軒先２ａに沿って軒樋部２５が設けられる。この軒樋部２５は、床下地２１ｂに隣接して設けられ、透水床２１ａを通って床下地２１ｂの上面に流れ落ちた水ＲＷが軒樋部２５に集水されることになる。
【００２４】
また、この軒樋部２５の軒壁部２２側の側縁は、図１に示すように軒壁部２２の内面に沿って上方に延設される。そして、その上端は軒壁部２２の下端から垂下された水切り２２ａによって覆われている。
【００２５】
ここで、通常は、床下地２１ｂを流下した水ＲＷは、軒樋部２５によって排水されることになる。しかしながら、この軒樋部２５の排水能力を超える量の水ＲＷが流れ込んだ場合は、水位が上昇して水切り２２ａの内部にまで水が入り込み、軒樋部２５の裏面側に水ＲＷが浸入することがある。また、このように大量の水ＲＷが軒樋部２５に流れ込むと、軒樋部２５の床下地２１ｂ側にも水ＲＷが浸み込んで、出窓部３の上面に水ＲＷが流れ出す場合がある。
【００２６】
一方、バルコニー２の軒壁部２２の下端には、バルコニー２の床下空間２６に連通する通気口２４が設けられる。この通気口２４と軒壁部２２の下端との境界には通気口カバー２４ｂが取り付けられ、通気口２４が外部から目立たないように装飾されている。
【００２７】
また、通気口２４には、迷路状に通気路が蛇行された通気金物２４ａが設置され、水が浸入しにくい構造となっている。
【００２８】
そして、この通気口２４に隣接した出窓部３の上面には、受樋部としての二次樋３２が形成される。
【００２９】
この二次樋３２は、図１に示すように、軒樋部２５よりも幅が広い箱形の樋で、上面が開放されている。また、軒樋部２５との平面視の位置関係では、二次樋３２は軒樋部２５の軒先２ａ側及び軒元２ｂ側の双方に突出している。
【００３０】
さらに、通気口２４との平面視の位置関係では、二次樋３２は通気口２４よりも出窓部３の窓部３４方向に突出して延設されている。すなわち、通気口２４の床下空間２６に向けた開口２４ｃの真下にも、二次樋３２は形成されている。
【００３１】
この二次樋３２は出窓部３の屋根下地３１ａ上に設けられ、二次樋３２の軒先側には、バルコニー２より突出した出窓部３の屋根部３１の水ＲＷを排水する箱樋３３が設けられる。
【００３２】
すなわち、出窓部３の屋根部３１には、外側縁部に沿って笠木３５が設けられて最も高くなっており、バルコニー２から突出する屋根部３１に落ちた雨水などの水ＲＷは、バルコニー２側に流下して箱樋３３から排出される。
【００３３】
また、この笠木３５の下方には、通気口３７が設けられ、その通気口３７から取り込まれた外気は、給気ＯＡとして出窓部３の天井部３６上方の屋根裏空間に流れ込み、換気がおこなわれる。なお、この天井部３６の上方には、ロックウールなどの断熱材３６ａが配置され、その上方に給気ＯＡの経路が形成される。
【００３４】
また、この出窓部３の屋根部３１は、１階部１１の外壁１１１の一部を構成する取付壁部１１２に連結される。さらに、この取付壁部１１２の内側は、上方にバルコニー２が設けられる居室１１５となる。
【００３５】
そして、この居室１１５の天井部１１３上面には、ロックウールなどの断熱材１１３ａが配置されるとともに、通気口２４から取り込まれた外気が給気ＯＡとして流れ込み、バルコニー２の床下空間２６の換気がおこなわれることになる。
【００３６】
続いて、図３を参照しながら、通気口２４と二次樋３２付近の詳細構造について説明する。
【００３７】
この二次樋３２は、鋼板を樹脂製シートなどによって防水加工するとともに箱形に成形した部材を、出窓部３の屋根下地３１ａの上面に取り付けることによって形成される。この二次樋３２を構成する部材は、薄く、箱形に加工した際にその形状が保持されるものが好ましい。
【００３８】
また、二次樋３２の上面内部であって、バルコニー２の軒壁部２２の真下よりも外側には、断面視Ｕ字形の箱樋３３が配置される。このように、二次樋３２の内部に箱樋３３を設けることによって、箱樋３３から水ＲＷが漏れ出すことがあったとしても、二次樋３２によって排水処理することができる。
【００３９】
また、この箱樋３３のバルコニー２側の側壁は、図３に示すように、バルコニー２の軒壁部２２の外面と略同じ位置に形成されている。そして、箱樋３３のその側壁の直ぐ上に通気口２４が形成される。
【００４０】
この通気口２４は、通気金物２４ａの最下部に設けられ、その通気口２４に連通する蛇行した経路が通気金物２４ａの内部に形成され、図３の右上角部に設けられた開口２４ｃから給気ＯＡがバルコニー２の床下空間２６に流れ込むことになる。
【００４１】
ここで、通常、水は、重力によってこの通気金物２４ａの内部経路を上昇することができず、開口２４ｃに辿りつけないので、給気ＯＡだけが通気金物２４ａを通過することになる。しかしながら、台風などの風の強いときや箱樋３３の排水能力より多くの水ＲＷが箱樋３３に集まってきた場合に、通気口２４から入った水が通気金物２４ａ内部を上昇して開口２４ｃから流れ出す場合がある。
【００４２】
これに対して本実施の形態では、開口２４ｃの真下、すなわち開口２４ｃから流れ出す水の落下位置には、二次樋３２が形成されており、この二次樋３２によって適切に排水処理をすることができる。
【００４３】
また、通気口２４の僅かに上方には、通気口２４を塞ぐことがないように通気カバー２４ｂが取り付けられている。
【００４４】
次に、本実施の形態のバルコニーと出窓部の接合構造の作用について説明する。
【００４５】
このように構成された本実施の形態のバルコニー２と出窓部３の接合構造は、バルコニー２の軒樋部２５又はバルコニー２の床下空間２６に給気ＯＡをおこなうための通気口２４を通って流れ出す水ＲＷの落下位置に、二次樋３２が設けられている。
【００４６】
このため、軒樋部２５から水ＲＷが溢れたり、通気口２４から水ＲＷが浸入して開口２４ｃから水ＲＷが漏れ出したりしても、それらの水ＲＷは二次樋３２に流れ落ち、出窓部３の上面から適切に排水処理することができる。
【００４７】
また、二次樋３２の幅を軒樋部２５の幅よりも大きく形成し、平面視で軒樋部２５の両側縁から二次樋３２が突出するように形成すれば、軒樋部２５のいずれの側縁から水ＲＷが溢れたとしても、流れ落ちる水ＲＷを二次樋３２によって受け流すことができる。
【００４８】
さらに、二次樋３２を、軒樋部２５よりも充分に大きな平面形状に形成しておくことで、バルコニー２の床下空間２６側に浸み込んだ水ＲＷが各所で滴り落ちても、二次樋３２によって排水させることができる。
【００４９】
また、二次樋３２を、平面視で通気口２４よりも出窓部３の窓部３４方向に突出するように形成すれば、通気口２４を通って様々な位置に滴り落ちる水ＲＷがあったとしても、確実に二次樋３２によって受け流すことができる。
【００５０】
以上、図面を参照して、本発明の最良の実施の形態を詳述してきたが、具体的な構成は、この実施の形態に限らず、本発明の要旨を逸脱しない程度の設計的変更は、本発明に含まれる。
【００５１】
例えば、前記実施の形態では、軒樋部２５及び通気口２４が平面視で広く含まれるような幅の大きな二次樋３２を形成したが、これに限定されるものではなく、軒樋部２５及び通気口２４からバルコニー２の床下空間２６に浸入した水ＲＷが辿る経路を予め設けておき、その経路の下端にのみ受樋部を設ける構成であってもよい。
【００５２】
また、前記実施の形態では、下階を１階とし、上階を２階とした場合について説明したが、これに限定されるものではなく、２階や３階を下階として出窓部３を設け、その上の階にバルコニー２を設ける場合であっても本発明を適用することができる。
【図面の簡単な説明】
【００５３】
【図１】本発明の最良の実施の形態のバルコニーと出窓部の接合構造の構成を説明する断面図である。
【図２】バルコニーと出窓部とを備えたユニット建物の構成を説明する斜視図である。
【図３】バルコニーと出窓部の接合構造の詳細を説明する部分拡大断面図である。
【符号の説明】
【００５４】
ＯＡ          給気
ＲＷ          水
１１          １階部（下階）
１１１        外壁
１２          ２階部（上階）
１２１        外壁
２            バルコニー
２ａ          軒先
２ｂ          軒元
２４          通気口
２５          軒樋部
２６          床下空間（床下側）
３            出窓部
３１          屋根部（出窓部の上面）
３２          二次樋（受樋部）
３４          窓部（窓）
【図１】
0005026329.tif 000002
【図２】
0005026329.tif 000003
【図３】
0005026329.tif 000004